(57)【要約】【課題】誘導レールの形状に工夫を加えることで、天釘に当たる遊技球の入射角を大きくすることを可能とし、遊技球が左右に跳ねて荒れる状態を少なくして遊技性を高める。【解決手段】遊技機（１０）は、遊技盤（１２）の遊技領域（Ｓ1）に弧状の誘導レール（１４）によって遊技球（Ｂ）を誘導する。遊技領域（Ｓ1）の側端部から上端部にかけての遊技球（Ｂ）の誘導軌道には、遊技領域（Ｓ1）の天釘（１７Ａ、１７Ｂ）に向けて遊技球（Ｂ）を放出させる球放出域が設けられる。球放出域には、誘導軌道を上方側へシフトさせる膨出部（１４ａ）が設けられる。【選択図】      図１
2004188059.tif 000002
【特許請求の範囲】
【請求項１】
遊技盤の遊技領域に弧状の誘導レールによって遊技球を誘導するようにした遊技機において、
前記遊技領域の側端部から上端部にかけての遊技球の誘導軌道に、前記遊技領域の天釘に向けて遊技球を放出させる球放出域を設けるとともに、この球放出域には、前記誘導軌道を上方側へシフトさせる膨出部を設けたことを特徴とする遊技機。
【発明の詳細な説明】
【０００１】
【発明の属する技術分野】
本発明は、遊技機に関するもので、詳しくは、パチンコ機、アレンジ機等の球誘導レールの改良に関するものである。
【０００２】
【従来の技術】
パチンコ機等の遊技機には、遊技領域に遊技球を誘導するための誘導レールが設けられている。このような誘導レールの形状としては、従来、遊技領域の側端部から上端部にかけての遊技球の誘導軌道がほぼ円弧に近い形状になっていることが多い。
【０００３】
図１０に従来のパチンコ機の構成例を示す。
パチンコ機１は、遊技盤２の正面に遊技領域Ｓ1が形成されている。遊技領域Ｓ1の中央には、図柄表示パネル３が設けられ、このパネルの周囲に各種誘導釘が設けられている。遊技領域Ｓ1の図９で左側に弧状の外レール４と内レール５とが設けられる。これらのうち、遊技領域Ｓ1に遊技球を誘導する外レール４（誘導レール）は、遊技領域Ｓ1の側端部から上端部にかけての誘導軌道がほぼ円弧状になっている。
発射装置から打ち出された遊技球は、外レール４と内レール５との間の誘導通路Ｓ2を通って遊技領域Ｓ1に放出され、放物線を描いて天釘７Ａ〜７Ｅに当たる。
なお、関連する先行技術としては、下記に示す特許文献１がある。
【０００４】
【特許文献１】
特開平９−２３９１０８号公報
【０００５】
【発明が解決しようとする課題】
しかしながら、このような従来のパチンコ機によると、遊技球が天釘に向けて放出される際に、誘導レールから下向きの力を受けやすいため、遊技球の放出角度が抑えられやすい。このため、図１１に示すように、天釘に衝突する遊技球の入射角θ0が小さくなり、遊技球が横向きに跳ね返りやすかった。これは、図１０に示すように、天釘７Ａ〜７Ｅのうち、最も左側の天釘７Ａを狙うときに顕著になる。
そして、このように衝突後の球が横向きに跳ね返る傾向が強くなると、そのような球はその後も左右に大きく跳ねながら落下する、いわゆる“球が荒れた”状態になる。このため、遊技領域における入賞回数が減少し、遊技としての面白さが損なわれやすいという問題があった。
【０００６】
本発明は、このような問題点に鑑みなされたもので、誘導レールの形状に工夫を加えることで、天釘に当たる遊技球の入射角を大きくすることを可能とし、遊技球が左右に跳ねて荒れる状態を少なくして遊技性を高めるようにした遊技機を提供することを目的とする。
【０００７】
【課題を解決するための手段】
前記課題を解決するための本発明（第１発明）による遊技機は、
遊技盤の遊技領域に弧状の誘導レールによって遊技球を誘導するようにした遊技機において、
前記遊技領域の側端部から上端部にかけての遊技球の誘導軌道に、前記遊技領域の天釘に向けて遊技球を放出させる球放出域を設けるとともに、この球放出域には、前記誘導軌道を上方側へシフトさせる膨出部を設けたことを特徴としている。
【０００８】
本発明（第１発明）の遊技機によれば、天釘を狙って遊技球を発射させると、遊技球が誘導レールの膨出部に沿って誘導される。膨出部では、遊技球が通常よりも上方側にズレた誘導軌道を通るため、遊技球がより高い位置から山なりの放物線を描いて遊技領域に放出され、より大きな入射角で天釘に衝突する。これにより、天釘に衝突した後に遊技球が左右に大きく跳ね返ることが少なくなり、遊技領域で球が荒れた状態になることを回避することができる。
なお、本明細書において、「弧状」という場合には、円弧および楕円弧以外の弓形状の曲線も含むものとする。
【０００９】
本発明（第２発明）の遊技機は、前記誘導軌道が、前記遊技領域の側端部から上端部までの誘導軌道が一定の曲率半径（円弧状）であると仮定した場合における軌道よりも、径方向外側を通過することを特徴としている。
【００１０】
本発明（第２発明）によれば、円弧状の軌道よりも高い位置から確実に遊技球を放出することができる。このため、遊技領域の高い位置から山なりの放物線で遊技球を天釘に衝突させることができる。
このような誘導軌道は、例えば、円弧、楕円弧等の弧状の軌道および直線状の軌道を自在に組み合わせて構成することができる。
【００１１】
本発明（第３発明）による遊技機は、前記誘導軌道の側端部および上端部が、前記遊技領域の側端部から上端部にかけての遊技球の誘導軌道が一定の曲率半径（円弧状）であると仮定した場合における軌道の側端部および上端部にほぼ一致することを特徴としている。
【００１２】
近年、パチンコ機等の遊技機では、演出効果の複雑化、高度化に対応するために、図柄表示装置等の役物装置が大型化する傾向にある。通常、これらの役物装置は、遊技領域のほぼ中央に配置されるため、役物装置の大型化に伴って天釘の位置を上方に移動させる必要性が高くなっている。
【００１３】
しかしながら、従来の円弧状に近い誘導レールをもつ遊技機では、天釘を上方に移動させると、遊技領域の上端から天釘までの高低差が少なくなるため、遊技球が十分に下を向く前に天釘に当たることになる。このため、天釘に当たる遊技球の入射角がさらに小さくなり、球が左右に荒れる傾向が大きくなる。
この対策として、遊技球の入射角を大きくするために遊技盤のサイズを拡大することも考えられるが、遊技機本体の大きさ（外枠や前枠の寸法）は従来より定まっており、遊技機本体に脱着する遊技盤（四角状のベニヤ板)の大きさも固定される。このため、遊技盤等の拡大によって天釘の移動に対応することが困難な状況になっている。
【００１４】
本発明（第３発明）によれば、誘導軌道の側端部および上端部が従来の円弧状に近い軌道（図１０参照）の側端部および上端部とほぼ一致する位置に設定されるため、遊技盤の横幅および高さを一定のサイズに保ったまま、膨出部によって遊技球をより高い位置から天釘に向けて放出させることができる。これにより、天釘を上方に移動させても、比較的大きな入射角で天釘に遊技球を衝突させることができ、遊技領域で球が左右に荒れる状態を回避することができる。
すなわち、本発明（第３発明）によれば、誘導軌道の側端部および上端部の位置を規制することで、既存の遊技盤のサイズを変更することなく、役物装置の大型化に伴う天釘の移動に対応することが可能になる。
【００１５】
本発明（第４発明）による遊技機は、前記遊技領域の側端部から上端部にかけて誘導軌道が、遊技球の進行方向に向かうに従って曲率半径がしだいに縮小する軌道を経由して最小曲率半径の軌道に連なり、さらに、遊技球の進行方向に向かうに従って曲率半径がしだいに拡大する軌道に連なることを特徴としている。
【００１６】
誘導レールに誘導軌道を設ける場合、その軌道内に曲率半径の変化量が過大な部分があると、誘導レールから反発力を受けて遊技球の走行が不安定になるおそれもある。このような不具合は、球速が大きい場合に生じやすい。
【００１７】
本発明（第４発明）によれば、遊技領域の側端部から上端部にかけて誘導軌道が一定の規則性をもって連続的に変化するものであるため、遊技球が誘導レールにスムーズに誘導され、安定した放物線で遊技領域に放出される。また、遊技球の球速が大きくなっても、遊技球の軌道がぶれにくい。
【００１８】
本発明（第５発明）による遊技機は、前記膨出部の最高位置が、前記遊技領域の中心線の上端部よりも高い位置に設定されることを特徴としている。
【００１９】
一般に、パチンコ機等の遊技盤は、遊技領域の中心線の上端部が最も高くなっており、天釘がその下方に配置されることが多い。このため、遊技領域の中心線の上端部よりも低い位置に膨出部があると、遊技球の放出位置を十分に高くすることができず、天釘に衝突する遊技球の入射角を十分に大きくすることができない場合もある。
【００２０】
本発明（第５発明）によれば、誘導レールの膨出部が遊技領域の中心線の上端部よりもさらに高い位置まで延びているため、遊技領域のより高い位置から遊技領域の上部中央の天釘に向けて遊技球を放出することが可能になる。従って、遊技球の放物線軌道をより山なりに修正することができ、天釘に当たる入射角をさらに大きくすることが可能になる。
【００２１】
本発明において、前記各発明（第１〜５発明）は、遊技領域に天釘を有する各種の遊技機に適用することができる。特に、パチンコ機、アレンジ機等のように、遊技球の流れを複数の誘導釘によって規制するタイプの遊技機に適用することが望ましい。
前記各発明（第１〜５発明）は、それぞれ単独で適用してもよいし、各発明を必要に応じて組み合わせて適用してもよい。
【００２２】
本発明（第１〜５発明）において、前記誘導レールの材質や製法は問わない。例えば、金属等の帯板を曲線状に曲げて釘等で遊技盤に止めて取り付けることができる。帯板の固定位置を調節することで、膨出部の形状を自在に変化させることができる。
また、プラスチック等の枠材に曲線状の側面を設けて誘導レールとしてもよい。この場合、プレス成形、射出成形等により枠材を成形することにより、精度の高い理想的な誘導レールを量産することが可能になる。
【００２３】
【発明の実施の形態】
以下、本発明の実施の形態を図面に基づいて説明する。
図２は、本発明の第１実施形態による遊技機を正面から見た図である。
図２に示すように、パチンコ１０は、遊技盤１２に遊技領域Ｓ1が設けられている。遊技領域Ｓ1の中央には、図柄表示パネル１３が取り付けられる。遊技領域Ｓ1で図１左側端部には、外レール１４（誘導レール）と内レール１５が設けられる。遊技領域Ｓ1の下方から発射される遊技球は、外レール１４と内レール１５との間の誘導通路Ｓ2を通って遊技領域Ｓ1に放出される。
【００２４】
遊技領域Ｓ1には、発射される遊技球Ｂの球数を検出するカウント装置１６、小当たり入賞用のゲート１８，１９、遊技球Ｂの衝突によって回転する風車２０，２１、図柄表示パネル１３の抽選図柄表示を開始させる始動ゲート２２、大当たり時に開閉して遊技球Ｂの入賞を促すアタッカ装置２３、遊技領域を落下した外れ球を回収する回収ゲート２４等が設けられている。
遊技領域Ｓ1の各種の装置の周囲には、遊技球Ｂが落下する流れ方向を規制するための誘導釘が固定される。これらの誘導釘のうち、遊技領域Ｓ1の上部中央であって、図柄表示パネル１３の上方位置に天釘１７Ａ〜１７Ｅが設けられている。
【００２５】
遊技機１０の下部には、ハンドル２６が設けられる。ハンドル２６を所定の向きに回すと、発射装置から遊技球Ｂが誘導通路Ｓ2に向けて打ち出される。ハンドル２６の操作量に応じて遊技球Ｂの打出力が定まる。通常、遊技を行う際には、天釘１７Ａ〜１７Ｅのいずれかに遊技球Ｂが当たるように、ハンドル２６の操作量が調節される。
【００２６】
外レール１４および内レール１５は、帯板を弧状に曲げて遊技盤１２に取り付けられる。帯板の長さ方向に配置される固定釘により盤面に固定される。遊技球Ｂは、その遠心力によって外レール１４に接触しながら遊技領域Ｓ1に誘導される。すなわち、外レール１４の内側に遊技球Ｂの誘導軌道が形成されることになる。
【００２７】
内レール１５の長さは、外レール１４よりも短く、カウント装置１６の下方位置で途切れている。ハンドル２６の操作量が不十分であるときには、遊技球Ｂが内レール１５を超えず、誘導通路Ｓ2を落下して元の発射位置に戻る。十分な打出力で遊技球を発射させると、遊技球Ｂが内レール１５を超えて遊技領域Ｓ1に放出される。
【００２８】
外レール１４は、遊技領域Ｓ1の側端部から上端部にかけて遊技球Ｂを天釘１７Ａ〜１７Ｅに向けて放出させる球放出域を有している。そして、この球放出域に膨出部１４ａが形成される。
図１に示すように、膨出部１４ａは、遊技領域Ｓ1の側端部と上端部とを結ぶ円弧Ｒ（図１破線）よりも、径方向外側に突き出る。すなわち、膨出部１４ａは、遊技球Ｂの誘導軌道を上方側へシフトさせるように遊技領域Ｓ1を拡大している。遊技球Ｂが膨出部１４ａに沿って誘導されると、円弧Ｒの軌道よりも球一個分以上高い位置を通過することになる。
【００２９】
遊技領域Ｓ1の側端部および上端部には、円弧Ｒとほぼ一致する位置に外レール１４が設けられる。つまり、遊技領域Ｓ1の幅と高さは、円弧Ｒの軌道をもつ従来形態の遊技盤とほぼ同じ寸法に保たれる。これにより、従来形態の遊技盤のサイズを変更することなく、遊技球Ｂの誘導軌道のみが上方へシフトするように修正される。
【００３０】
ここで、比較形態による遊技機を図３に示した。
比較形態による遊技機３０は、楕円弧状の外レール３４によって誘導軌道に膨出部３４ａを形成している。図３に示す縦長の楕円弧Ｑ上に外レール３４が設けられている。図３に破線で示す円弧Ｒは、第１実施形態との比較のために遊技領域の側端部および上端部とを結ぶ円弧を描いたものである。
楕円弧Ｑと円弧Ｒとの各軌道を比較して判るように、比較形態による場合には、膨出部３４ａによって遊技領域Ｓ1が上方側へ拡大する。このため、遊技盤１２の上部スペースが狭くなり、設計変更等の必要が生じる場合がある。
【００３１】
これに対し、第１実施形態による外レールによる場合には、外レール１４による誘導軌道の側端部および上端部が円弧Ｒの側端部および上端部にほぼ一致するために、遊技領域の高さと幅が変わらない。この結果、遊技盤の設計変更等をする必要なく、既存の遊技盤に外レール１４を簡単かつ確実に取り付けることが可能になる。
【００３２】
天釘１７Ａ〜１７Ｅに向けて遊技球Ｂを発射する場合、例えば天釘１７Ａに当たるように、ハンドル２６の操作量を調節すると、図４に示すように、遊技球Ｂが膨出部１４ａの内側を通過し、天釘１７Ａ〜１７Ｅよりも高い位置から放物線を描いて遊技領域Ｓ1に放たれる。そして、図４矢印示すように、天釘１７Ａに衝突する。
同様に、天釘１７Ｂ〜１７Ｅに向けて遊技球Ｂを衝突させる場合も、膨出部１４ａから放物線を描くように遊技球Ｂが放出される。
【００３３】
このように本実施形態によれば、外レール１４の膨出部１４ａによって、従来形態よりも高い位置から遊技球Ｂを遊技領域Ｓ1に放出することができる。このため、遊技球Ｂがより大きな入射角θ1で天釘１７Ａ〜１７Ｅに衝突する。
【００３４】
天釘に対する水平方向および垂直方向の衝突力の関係を図５に示した。図５（Ａ）は、本実施形態による衝突状態を示し、図５（Ｂ）は、従来形態による衝突状態を示している。なお、本実施形態の入射角θ1は、従来形態の入射角θ0よりも大きい。
【００３５】
図５(Ａ)に示すように、入射角θ1で天釘１７Ａに当たる遊技球Ｂの衝突力がＰ1であるとき、天釘１７Ａに対する水平方向および垂直方向の衝突力は、ｘ1およびｙ1で表される。一方、図５（Ｂ）に示すように、入射角θ0で天釘１７Ａに当たる遊技球Ｂの衝突力がＰ0であるときは、天釘１７Ａに対する水平方向および垂直方向の衝突力はｘ0およびｙ0で表される。
遊技球Ｂの衝突力Ｐ1およびＰ0がほぼ等しい場合、Ｐ1＝Ｐ0の関係が成り立つ。このとき、図５（Ａ)および（Ｂ）を比較すると、ｘ0≧ｘ1、ｙ0≦ｙ1であることから判るように、本実施形態では、従来形態に比べて水平方向の衝突力が弱くなり、垂直方向により強い衝突力が作用する。すなわち、本実施形態では、従来形態よりも遊技球Ｂが左右方向に跳ね返りにくく、上下方向に跳ね返りやすくなることが判る。
【００３６】
このように第１実施形態の遊技機１０によれば、外レール１４の膨出部１４ａによって遊技球Ｂをより高い位置から放出し、大きな入射角で天釘１７Ａ〜１７Ｅに衝突させることができる。この結果、遊技球Ｂを上下に大きく跳ねながら遊技領域Ｓ1を落下させて遊技者を楽しませることができる。
また、遊技領域Ｓ1の高さおよび幅を変更することなく、遊技球Ｂの誘導軌道のみを上方側へ修正するため、既存の遊技盤の構成を最大限に生かして遊技性を向上させることが可能になる。
【００３７】
次に、本発明の第２実施形態を図６に示す。
第２実施形態による遊技機は、図柄表示パネルを拡大して天釘を上方に移動させたものである。
遊技機４０は、遊技盤１２の中央に図柄表示パネル４３が設けられている。図柄表示パネル４３は、第１実施形態の図柄表示パネルよりも上端が高さ方向に拡大している。図柄表示パネル４３の上方には、第１実施形態の天釘よりも上側の位置に天釘４７Ａ〜４７Ｅが設けられている。
遊技盤１２、外レール１４、内レール１５等の構成については、前記第１実施形態と実質的に同一である。
【００３８】
天釘４７Ａ〜４７Ｅに向けて遊技球Ｂを発射する場合、ハンドル２６の操作量を調節することで、遊技球Ｂの放出位置を第１実施形態よりもやや高くする。すると、遊技球Ｂが膨出部１４ａのより高い位置から放物線を描いて天釘３４Ａ〜３４Ｂに衝突する。このとき、天釘４７Ａ〜４７Ｅへの入射角は、第１実施形態よりも小さくなるが、図６で破線に示す円弧Ｒの軌道よりも十分に高い位置から遊技球Ｂが遊技領域Ｓ1に放出されるため、遊技球Ｂの左右方向への跳ね返りは大きくならない。
【００３９】
このように第２実施形態によれば、外レール１４に膨出部１４ａを設けることにより、天釘４７Ａ〜４７Ｅを上方に移動しても、遊技球Ｂが左右に荒れることによる遊技性の低下を回避することができる。すなわち、図柄表示パネル４３の大型化に容易に対応することができ、遊技機４０の演出効果を高めやすくなる。なお、必要に応じて膨出部１４ａを径方向外側に拡大することで、天釘４７Ａ〜４７Ｅに向かう遊技球Ｂの入射角をさらに大きくしてもよい。これにより、より大型の図柄表示パネルを遊技盤１２に設けることも可能になる。
【００４０】
前記第１実施形態および第２実施形態において、外レールの形状については、必要に応じて改良を加えることができる。以下の実施形態には、外レールの膨出部を変形させた例を示した。これらの実施形態は、遊技領域の大きさや天釘の配置等を考慮して採用することが可能である。
【００４１】
本発明の第３実施形態を図７に示す。
第３実施形態は、二種類の楕円弧を組み合わせて外レールに膨出部を形成したものである。
遊技盤５０は、遊技領域Ｓ1の側端部から上端部にかけて外レール５４が設けられる。外レール５４には、縦長楕円Ｑ1および横長楕円Ｑ2のそれぞれの弧に沿って膨出部５４ａが形成されている。遊技球の誘導軌道は、遊技領域Ｓ1の側端部から遊技球の進行方向に向かうに従って曲率半径がしだいに小さくなり、中間部で曲率半径を大きく変化させた最小曲率半径の軌道を経て、しだいに曲率半径が大きくなって遊技領域Ｓ1の上端部に連なる。外レール５４の側端部は、曲率半径が一定である円弧Ｒの側端部に一致している。
【００４２】
第３実施形態によれば、縦長楕円Ｑ1および横長楕円Ｑ2の弧状の誘導軌道によってより高い位置から遊技球を遊技領域Ｓ1に放出することができる。
また、膨出部５４ａが楕円弧に沿って湾曲しているので、外レール３４に沿って遊技球をスムーズに誘導することができる。
さらに、外レール５４の側端部が円弧Ｒの軌道にほぼ一致するため、遊技領域Ｓ1の幅をそのまま維持することもできる。
【００４３】
本発明の第４実施形態を図８に示す。
第４実施形態は、遊技領域の中心線の上端部よりも高い位置に外レールの膨出部を形成したものである。
遊技盤６０は、遊技領域Ｓ1の側端部から上端部にかけて外レール６４が設けられる。外レール６４には、遊技領域Ｓ1の上端を拡大する膨出部６４ａが形成される。膨出部６４ａの最高位置は、遊技領域Ｓ1の中心線の上端部よりも高い位置になっている。
遊技球の誘導軌道は、遊技領域Ｓ1の側端部から遊技球の進行方向に向かうに従って曲率半径がしだいに小さくなり、最小曲率半径の円弧Ｑ3の軌道を経て、しだいに曲率半径が大きくなって遊技領域Ｓ1の上端部に連なる。
【００４４】
第４実施形態によれば、膨出部６４ａが遊技領域Ｓ1の中心線の上端部よりも高い位置に設定されるため、図８に示す円弧Ｒの上端よりもさらに高い放物線軌道で遊技球を天釘１７Ａ〜１７Ｅに向けて放出することができる。これにより、天釘１７Ａ〜１７Ｅに衝突する遊技球Ｂの入射角度をきわめて大きくすることができ、より遊技性の高い遊技機を提供することができる。
また、第４実施形態によれば、図柄表示パネル１３の大型化に伴う天釘１７Ａ〜１７Ｅの移動にも対応しやすくなる。
さらに、遊技球の進行方向に向かうに従って外レール６４の曲率半径が比較的緩やかに変化するため、外レール６４に沿って遊技球をスムーズに誘導することができる。
【００４５】
本発明の第５実施形態を図９に示す。
第５実施形態は、膨出部の立ち上がり部分に直線形状を採用したものである。
遊技盤７０は、遊技領域Ｓ1の側端部から上端部にかけて外レール７４が設けられる。外レール７４には、直線状に立ち上がる膨出部７４ａが形成される。遊技球の誘導軌道は、膨出部７４ａの直線部分の先端から曲率半径が一定の円弧Ｑ4に連なっている。
【００４６】
第５実施形態によれば、膨出部７４ａの立ち上がり部分に直線形状を採用することにより、最短距離で遊技球を遊技領域Ｓ1の高位置まで運ぶことができる。これにより、図９で天釘１７Ａ〜１７Ｅを中央位置から左寄りに移動させるような場合でも、天釘１７Ａ〜１７Ｅに衝突する遊技球の入射角を大きくすることができる。
また、膨出部７４ａの立ち上がり部分を遊技盤の四隅部に近い位置にまで拡大することで、遊技盤の盤面をより広く使用することが可能になる。
【００４７】
前記第１実施形態〜第５実施形態を説明したが、本発明の実施形態はこれらに限定されることなく、種々の変更が可能である。遊技盤については、天釘や図柄表示パネル等の配置を必要に応じて変更してもよい。遊技球の発射位置は、遊技領域の下方に設定する必要はなく、遊技領域の側方に設けてもよい。また、外レールおよび内レールについては、プラスチック等からなる枠材にレール面を形成したものを用いてもよい。また、前記第１実施形態〜第５実施形態では、遊技領域の左側に誘導レールを設けているが、遊技領域の右側、または遊技領域の両側に誘導レールを設けることも可能である。
【００４８】
【発明の効果】
以上説明したように、本発明の遊技機によれば、次のような優れた効果を奏する。
(a)  遊技盤の高い位置から遊技球を放出させることができるため、天釘に当たる遊技球の入射角を大きくすることができる。
(b)  遊技球が左右に跳ね返りながら落下する状態になりにくいため、遊技性が向上する。
(c)  役物装置の大型化に伴う天釘の移動に対応しやすくなる。
【図面の簡単な説明】
【図１】本発明の第１実施形態による外レールを示す部分拡大図である。
【図２】本発明の第１実施形態による遊技機を示す正面図である。
【図３】比較形態による外レールを説明するための模式図である。
【図４】本発明の第１実施形態による遊技球の軌道を説明するための部分拡大図である。
【図５】遊技球の衝突力を説明するための図であって、（Ａ)は、第１実施形態による天釘および遊技球を示す部分拡大図、（Ｂ）は従来形態による天釘および遊技球Ｂを示す部分拡大図である。
【図６】本発明の第２実施形態による遊技機を示す正面図である。
【図７】本発明の第３実施形態による外レールを説明するための模式図である。
【図８】本発明の第４実施形態による外レールを説明するための模式図である。
【図９】本発明の第５実施形態による外レールを説明するための模式図である。
【図１０】従来形態による遊技機を示す正面図である。
【図１１】従来形態による遊技球の軌道を説明するための部分拡大図である。
【符号の説明】
１０    遊技機
１２    遊技盤
１３    図柄表示パネル
１４    外レール（誘導レール）
１４ａ  膨出部
１７Ａ〜１７Ｅ    天釘
Ｂ    遊技球
Ｓ1   遊技領域
Ｓ2   誘導通路
θ1   入射角
【図１】
2004188059.tif 000003
【図２】
2004188059.tif 000004
【図３】
2004188059.tif 000005
【図４】
2004188059.tif 000006
【図５】
2004188059.tif 000007
【図６】
2004188059.tif 000008
【図７】
2004188059.tif 000009
【図８】
2004188059.tif 000010
【図９】
2004188059.tif 000011
【図１０】
2004188059.tif 000012
【図１１】
2004188059.tif 000013